(57)【特許請求の範囲】
【請求項１】
信号データを複数の階層に振り分けて階層伝送を行うデジタル地上波放送システムに用いられ、前記複数の階層毎に別々に復調される信号データを、階層合成により一連の信号データに合成する受信装置において、
前記複数の階層毎に復調される信号データを階層別に蓄積する複数の階層空間から成り、指定される階層の蓄積空間から信号データを出力して階層合成を行う蓄積手段と、
前記蓄積手段から任意の階層の階層空間に蓄積された信号データを出力させる出力制御手段と、
前記蓄積手段における複数の階層空間の蓄積状態を階層別に監視する監視手段と、
を具備し、
前記監視手段は、待ち行列的に記憶できるメモリ手段を含み、ある階層の蓄積空間で信号データが蓄積されると、これを検出して該階層の蓄積空間に蓄積された事を意味する所定のフラグを発行して前記メモリ手段に順次記憶するように構成され、階層合成する際には、前記メモリ手段に記憶されるフラグから蓄積されている階層を判別して該当する蓄積空間の信号データを順次出力するように前記出力制御手段に通知し、
前記出力制御手段は、前記監視手段からの通知に基づいて前記蓄積手段から蓄積空間の信号データを出力させることを特徴とする階層合成を行なう受信装置。
【請求項２】
前記信号データがＭＰＥＧ２（Moving Picture Expert Group phase 2）に準拠するとき、
前記蓄積手段は、前記信号データをＭＰＥＧ２で規定されるトランスポートストリームパケットの単位で階層別に蓄積する複数の蓄積空間を備え、
前記監視手段は、前記蓄積手段の全階層の蓄積空間に前記信号データが蓄積されていない場合に、前記ＭＰＥＧ２のトランスポートストリームにおいてヌルパケットとして規定される所定単位のデータ列を出力するように、前記出力制御手段に指令することを特徴とする、請求項１記載の受信装置。
【請求項３】
前記蓄積手段は、前記監視手段からの監視に伴なう前記出力制御手段からの制御により、各階層別に分離して蓄積していた複数の蓄積空間内の信号データを連続する出力信号に合成するとき、前記蓄積手段の全階層の蓄積空間が空になる期間がある場合には、この期間に相当する所定単位の長さのヌルデータ列を代わりに生成して出力することを特徴とする、請求項１に記載の受信装置。
【発明の詳細な説明】
【０００１】
【発明の属する技術分野】
本発明は、放送や通信システムに用いられる階層化伝送のための階層合成に係わり、その伝送信号を再生する受信装置に関する。
【０００２】
【従来の技術】
近年、アナログによる放送のに代わって、デジタルによる放送が実用化されつつあり、例えばデジタル地上波放送システムなどでは伝送のために階層化伝送方式を採用しているものがある。このような伝送方式においては、複数の階層毎にデータの処理が行われるが、データの発生は一律ではなくバースト状に入力されるので、そのデータを階層化された蓄積手段に一時的に蓄積するこの方式における制御は複雑になる。
【０００３】
また一般的なデータ処理においては、プログラムの制御等によりデータレート( 伝送速度) に応じたメモリ・ストレージの階層構造（例えば高速バッファ・メモリ等の構造）が採用されているが、細かな制御は可能でもプログラムがある故に複雑な制御系となる。
【０００４】
通常、上記の階層化伝送方式で実施されるデジタルテレビ放送に使用される機器、例えばテレビジョン受像機のチューナ回路、デコーダ( デジタル復調回路) 、あるいは付設されるアダプタのようなモジュールには必ずこのような階層別の入力を蓄積する手段が必要となる。
【０００５】
特に、デジタル地上放送システムにおいて階層化伝送を行う場合、受信側の受信装置においては、各階層ごとに復調処理、例えば、デマッピングや時間デインターリーブ等の処理が施された信号を、１本の一連の信号（例えばＴＳ(Transport Stream)信号）に合成するような所謂「階層合成」の必要がある。
【０００６】
このような信号を各階層で所定のパケット単位の信号（即ちトランスポートストリームパケット( ＴＳＰ:Transport Stream Packet) ）として、蓄積された順序に出力する一方法として、現在、放送・通信システムに用いられる階層化伝送のための構成については幾つかの技術が提案されている。
【０００７】
その一例として図６に、階層合成を行う受信装置内のモジュールの構成を示す。例えばこの種の受信装置を構成するチューナまたはデコーダ等の回路モジュールは、階層別の入力信号を階層別に蓄積する蓄積手段１０と、この蓄積手段１０に接続して各階層別の蓄積状態を監視する出力制御部２０から構成されている。また、上記蓄積手段１０は階層１〜４毎に４つの蓄積バッファ１１〜１４で構成されており、上記出力制御部２０はそれぞれ蓄積バッファ１１〜１４に接続して出力制御を行っている。
【０００８】
このように、これまで提案されている技術では、一般に、各階層においてＴＳＰパケットが蓄積された順に出力する場合、図６に示すように簡単に実現可能であり、各階層では量的に一定しないバースト状に入力されるパケットデータを逐次、そのデータのためのＴＳＰ蓄積バッファ１１〜１４に蓄積しておき、各階層のいずれかにおいて１つのＴＳＰのパケットデータ分のデータが蓄積されれば、そのデータをパケットデータＴＳＰとして出力するように構成されている。
【０００９】
【発明が解決しようとする課題】
しかしながら、デジタル地上波放送システムにおける階層化伝送方式には次のような条件がある。すなわち、
（１）  ２つ以上の階層にＴＳＰが蓄積されている場合には、先に蓄積されたほうの階層のＴＳＰを出力する。
（２）  すべての階層に蓄積されたＴＳＰが存在しない場合には、ヌルパケットを出力する。
【００１０】
但し、ヌルパケットとは、例えばＭＰＥＧ２のトランスポートストリームにおいて規定されているパケットであり、所定のヘッダと所定単位のデータ列で構成されたものである。
これらの各条件を満足するためには、図６に示した従来の受信装置の構成だけでは実現が不可能になる。何故ならば、個々のＴＳＰ蓄積バッファ１１〜１４における蓄積状況や、その蓄積順序等に関する細かな監視が行われていないので、各階層に対する上記条件を満たすような制御ができない故である。
【００１１】
そこで本発明の目的は、デジタル地上波放送システムの階層化伝送方式における受信側において、階層合成を正しく行え出力する受信装置のモジュールを提供することにある。
【００１２】
【課題を解決するための手段】
本発明は上記の現状に鑑みて成されたものであり、上記問題を解決し目的を達成するために次のような手段を講じている。すなわち構成的にこの受信装置は、入力信号を階層別に蓄積する複数の蓄積空間から成る蓄積手段と、この蓄積手段に接続して各階層別の蓄積された信号の出力制御を階層毎に行う出力制御手段と、この出力制御手段と上記蓄積手段に接続して上記蓄積手段の蓄積状態の監視を階層毎に行う監視手段とを備え、この監視手段は待ち行列的に記憶できるメモリ手段を含み、ある階層の蓄積空間に入力信号データが蓄積されると、その蓄積空間に蓄積された事を意味するフラグを発行して上記メモリ手段に順次記憶し、階層合成する際にそのメモリ手段の内容に対応する蓄積空間の蓄積内容を順次読み出すように出力制御手段に通知すると、上記出力制御手段は一連の出力信号に合成するように上記蓄積手段を制御するように構成する。
【００１３】
つまり、本発明が提案する受信装置で行う階層合成の一手法は、地上デジタル放送システムにおいて階層化伝送方式で送られてきた場合、各階層に分離された信号を、受信側の所定のモジュールで１本のＴＳ信号に階層合成する必要から生まれたものであり、特にその階層合成されたＴＳＰを、モジュール内部に一時的に蓄積された順序に再合成して出力する手法である。
【００１４】
このため、各階層用の蓄積領域を監視する監視部を設け、各階層から１つのＴＳＰ分のデータが蓄積されたときにそれを示すフラグを発生するようにし、各階層のこれらのフラグ出力を待ち行列用のメモリで蓄積しておき、１ＴＳＰ周期でそのフラグを読み出す。このとき、２つ以上の階層にＴＳＰが蓄積されている場合は、その蓄積終了には時間差が生ずる。よって、各階層毎に蓄積されるバースト状のデータは、ある階層用の蓄積領域に入力されているときに、他のどの階層用の蓄積領域にも同じデータは入力されず、従って同時刻に２つ以上の階層においてＴＳＰが蓄積されることはない。本発明はこれを利用して階層合成を行うような受信装置を提供するものである。
【００１５】
【作用】
本発明の受信装置においては、以上の手段により次のような作用を奏する。すなわち、本発明によれば、監視部内のＦＩＦＯから順々にに蓄積フラグを読み出すことによって、先に蓄積されていた階層のＴＳＰを読み出すことができる。また、どの階層にもＴＳＰが存在しない場合には、どの階層からも蓄積フラグが出力されず、監視部内のＦＩＦＯも空になるので、この場合には前述のヌルパケットを生成して代わりに出力できる。よって、各階層で一連の例えばパケット単位のトランスポートストリームパケット( ＴＳＰ）が正しい順序に出力する。
【００１６】
以上の請求項に記載の態様によれば、デジタル地上波放送システムにおける階層化伝送方式の所定の仕様・条件を満たして階層合成可能な受信装置が実現できる。
【００１７】
【発明の実施の形態】
まず、本発明の受信装置に係わるデジタルテレビジョン受像機（以下、デジタルテレビと略称する）の全体について図１を見ながらその概要を説明する。
受信装置としてのデジタルテレビの基本構成としては、アンテナ１に続くチューナ回路２と、デジタル復調回路３と、映像データ復号化回路４と、画面フォーマット変換回路５と、音声データ復号化回路６と、ディスプレイ７から主に構成され、受信した一連のデジタルデータ・ストリームから音声、映像のみならず文字、グラフィックス等の各種情報も出力する。
【００１８】
上記の映像データ復号化回路４は、所定の圧縮方式（例えばＭＰＥＧ等）に対応して送られてきた映像データの伸長処理を行い、一方、音声データ復号化回路６は音声データの伸長処理を行う。これらの復号化回路４，６は専用のＬＳＩで構成したチップ・セットが採用される。
【００１９】
また、画面フォーマット変換回路５は、所定のディスプレイ７で表示可能な画素数に合わせて映像データを変換する為の回路であり、例えば、映像と音声中心の再生用のインターレース走査に対応したディスプレイや、映像信号中に多重化された文字( テレテキスト) とグラフィックスも再生するノンインターレース走査に対応したディスプレイに基づく画面画素数、走査方式またはフレーム／フィールド周波数等に合ったフォーマット変換を行う。
【００２０】
以下、本発明の階層合成を行なう受信装置のモジュールについて、複数の実施形態例およびそれらの変形例を挙げて詳しく説明する。
（第１実施形態例）
図２には、本発明の第１実施形態例としての階層合成を行なう受信装置のモジュールの構造が概念的に示されている。
【００２１】
基本構成的に本第１実施形態例のモジュールは、図示の如く、階層別の入力信号を階層別に蓄積する蓄積手段１０と、この蓄積手段１０に接続して各階層別の蓄積手段からの蓄積内容の出力を制御する出力制御手段２０と、この出力制御手段２０と上記蓄積手段１０に接続して所定の条件に基づいての蓄積手段１０の蓄積状態に関する監視を階層毎に行う監視手段３０とから主に構成されている。
【００２２】
蓄積手段１０は複数から成る階層別の蓄積空間を有し、出力制御手段２０からの指令で階層別に出力できるように構成されている。また、監視手段３０には待ち行列を記憶できるメモリが含まれ、ある階層の蓄積空間に入力データが蓄積されると、その空間に蓄積された事を意味する所定の蓄積フラグを発行してそのメモリに順次記憶するように構成されている。
【００２３】
（作用効果１）
階層化伝送方式に従って形成され送信されてきた受信信号は、受信側においてこのモジュールの入力端子に入力すると、蓄積手段１０はこの入力信号を階層別に蓄積する。一方、監視手段３０はこの蓄積手段１０に各階層別の蓄積される状態を個々に監視しながら、一連の入力信号（以下、データと称す）がどの階層でどのように記憶されているかを認識する。そして監視手段３０は正しい順序で再生されるように出力制御手段２０に指令を送ると、この出力制御手段２０は蓄積手段１０に正しい順序で出力信号（データストリーム）を生成させる。
【００２４】
詳しくは、例えば監視手段３０が、ある階層の蓄積手段１０にデータが蓄積される都度に所定の信号に基づき蓄積フラグを発生してこれを所定の待ち行列状にメモリ中に記憶しておく。このメモリの内容は発生した蓄積フラグの古いものから新しいものまで時系列的な順番で記憶されているので、このメモリの内容を見れば、一連のデータストリームが分割され記憶された順序が解る。したがって、監視手段３０は、出力前の階層合成に際して、このメモリ中の最も古い蓄積フラグとその属する階層を認識し、当該階層の蓄積手段１０内のデータを最初に取り出し、続いて、次に古い蓄積フラグとその属性を認識しながら、順々にその該当するデータを取り出していく。もしも、蓄積空間にデータが蓄積されていない場合には、その代わりにヌルコード（"00"）を生成して出力する。
【００２５】
このような制御により、複数の各階層に分離されていたデータは１本の連続するデータストリーム、即ち搬送信号（ＴＳ信号）に階層合成され、このモジュールの出力端子からその階層合成された一連のＴＳ信号として、蓄積された正しい順序で出力される。
よって、例示した本第１実施形態例によれば、前述のデジタル階層化伝送方式の仕様・条件を満たす階層合成を実現するモジュールが提供可能となる。
【００２６】
以上の第１実施形態例に例示した形態は、次に述べる第２実施形態例のようにしても実施できる。
（第２実施形態例）
図３には本発明の受信装置に係わるモジュールの更なる構成を例示している。図示の如く、本実施形態例の特徴は、蓄積手段として４つの階層１〜４毎にＴＳＰ蓄積バッファ１１〜１４が例えばＲＡＭで構成されており、また、待ち行列のためのメモリとして例えばＦＩＦＯ(First In First Out)等のシフトレジスタを有する監視部３０が１つ設けられている点にある。
【００２７】
詳しくは、蓄積手段１０の構造は、複数から成る階層別の蓄積空間としての、第１の階層（以下、階層１と略称する）専用のＴＳＰ蓄積バッファ１１と、階層２専用のＴＳＰ蓄積バッファ１２と、階層３専用のＴＳＰ蓄積バッファと、階層４専用のＴＳＰ蓄積バッファ１４と、から構成されている。各階層のＴＳＰ蓄積バッファ１１，１２，１３，１４のそれぞれは、各階層のパケットデータを一時的に蓄積するように複数の例えばＲＡＭによって構成されている。また、上記出力制御手段としての出力制御部２０は、監視手段としての監視部３０に接続し、それぞれのＴＳＰ蓄積バッファ１１，１２，１３，１４を制御している。
【００２８】
図４には上記のＴＳＰ蓄積バッファの構造を示し、図５には上記のＦＩＦＯの構造を示す。
図４に示す如く、入力するパケット単位のデータストリームは、バイト多重の場合は８ビットで符号化されているので、この幅で所定のパケット長（例えば２０４バイト長）のＴＳＰ記憶領域と、その先頭の１バイトのバイトカウンタに対応して、ＴＳＰの長さ等の計数用にＴＳＰカウンタが付設されている。
【００２９】
さらに図５に示す如く、監視手段としての監視部３０には、階層別のデータが上記のＴＳＰ蓄積バッファ１１〜１４の何れに蓄積されたかを管理するための蓄積フラグを順次記憶するためのメモリ手段としてＦＩＦＯなるシフトレジスタが設けられている。
【００３０】
このシフトレジスタには、ある階層の蓄積バッファにデータが蓄積されたと同時に発生した蓄積フラグが順次矢印INの方向から入り、待ち行列を形成するが、読出し信号に応じて最古の蓄積フラグが矢印OUT の方向に取り出されて、固定レジスタに一時格納されてその内容（例えば階層の属性等）が読めるように構成されている。
【００３１】
（作用効果２）
本第２実施形態例では、上記の構成と次なる作用によって実現している。すなわち、階層１〜４までの各階層に１ＴＳＰ分のデータが蓄積されると、その状況を示すフラグ（蓄積フラグ）が発生する。監視部３０では各階層のこのフラグ出力を例えばＦＩＦＯの様なシフトレジスタで蓄積しておき、１ＴＳＰ周期でそのフラグをＦＩＦＯから読み出す。このとき、２つ以上の階層にＴＳＰが蓄積されている場合は、その蓄積終了には時間差がおのずと生ずる。だだし、各階層のＴＳＰ蓄積バッファ１１〜１４に入力される量的に一定しないバースト状のデータは、ある階層の蓄積バッファにデータが入力されているときには、他のどの蓄積バッファにもデータは入力されない。よって、同時刻に２つ以上の階層においてＴＳＰが蓄積されることはない。よって、複数の階層別に分割されて蓄積されていたＴＳＰデータを、正しく時系列に従った一連のＴＳＰに再合成、即ち「階層合成」できる。
【００３２】
このことを利用し、監視部３０がＦＩＦＯから読み出された蓄積フラグの内容を出力制御部２０に通知すると、出力制御部２０はこの通知に従って該当するＴＳＰ蓄積バッファからのデータの取り出しを指令する。
【００３３】
このように、監視部３０内のＦＩＦＯから順々に蓄積フラグを読み出すことによって、先に蓄積されていた階層のＴＳＰを読み出すことができる。また、仮にどの階層にもＴＳＰが存在しない場合には、どの階層からも蓄積フラグが出力されず、ＦＩＦＯも空になるので、この場合に限り前述のようにヌルパケットをＴＳ信号として出力する。
【００３４】
以上により、本第２実施形態例によれば、前述のデジタル階層化伝送方式の仕様・条件を満たす階層合成を実現することが可能となる。
また、プログラム等による制御ではない比較的簡単なデバイス動作により、バースト状に発生するパケットデータにも対応し得る階層合成を行うことが可能なモジュールを提供できる。
【００３５】
以上、複数の実施形態例に基づいて説明したが、本明細書中には次の発明も含まれる。すなわち、
[ Ａ]   階層化伝送を行うデジタル地上波放送システムにおいて、
各階層ごとに所定の処理が施された入力信号を、一連のトランスポートストリーム信号( ＴＳ信号) に合成する受信装置のモジュールは、
伝送・搬送されるトランスポートストリームパケット( ＴＳＰ) ・データを所定の階層単位に一時的に蓄積する複数から成るＴＳＰ蓄積バッファを有する蓄積手段と、
前記蓄積手段を監視して、ここにデータが蓄積されたことを意味する蓄積フラグを設定・記憶し、この蓄積フラグの内容に基づき対応するそれぞれの階層の前記蓄積手段を監視・管理する監視手段と、
前記監視手段の指令に基づき、該当する前記蓄積手段に蓄積していたデータを所定条件に基づく出力信号として出力するように制御する出力制御手段と、
を具備することを特徴とするモジュールである。
【００３６】
［Ｂ］  前記蓄積手段は、前記監視手段および前記出力制御手段の監視・制御により、各階層に分離して蓄積していたＴＳＰを、連続する１本のＴＳ信号に合成して出力することを特徴とする［Ａ］に記載のモジュールである。
［Ｃ］  前記監視手段は、待ち行列的なメモリとしてＦＩＦＯ(First In First Out)を有して成ることを特徴とする［Ａ］に記載のモジュールである。
［Ｄ］  前記待ち行列的なメモリは、少なくとも前記ＴＳＰ蓄積バッファの階層別の個数以上の情報の配列が可能なシフトレジスタから成ることを特徴とする［Ｃ］に記載のモジュールである。
［Ｅ］  前記ＴＳＰ蓄積バッファは、ＲＡＭから成り、
少なくとも、１パケット長のＴＳＰ記憶領域と、蓄積している該パケット中の実データのバイト長をカウントするバイトカウンタと、蓄積しているパケットの番号をカウントするＴＳＰカウンタと、を有することを特徴とする［Ａ］に記載のモジュールである。
【００３７】
［Ｆ］  前記フラグは、前記蓄積手段を構成する蓄積空間を表わす属性と、該蓄積空間に蓄積された信号・データの有無を表わす情報と、を少なくとも含むことを特徴とする［Ａ］に記載のモジュールである。
［Ｇ］  階層化伝送方式におけるデジタルテレビ放送に使用される受像機を構成する階層合成を行うモジュールは、
少なくとも、チューナ回路、デコーダ( 即ちデジタル復調回路) 、又は該受像機に付設されるアダプタであることを特徴とする［Ａ］に記載のモジュールである。
【００３８】
［Ｈ］  デジタル地上波放送システムにおいて階層化伝送を行う場合、
受信側において各階層ごとに少なくともデマッピング又は時間デインターリーブが施されて復調処理が施された信号を入力するモジュールは、
前記信号を各階層で所定単位の信号（例えばトランスポートストリームパケット（ＴＳＰ：Transport Stream Packet)信号）として蓄積された順序に出力するために、各階層において１つのＴＳＰが蓄積される都度に所定のフラグを発生させ、待ち行列的に記憶しておき、出力する際にこのフラグを監視しながら各階層のＴＳＰを１本の連続するトランスポートストリーム( ＴＳ) 信号に合成するような復号化処理回路であることを特徴とする。
【００３９】
［Ｉ］  前記復調処理を行うモジュールは、デジタル復調回路であり、
前記復号化処理回路は、少なくとも、入力された映像データを階層合成して復号化する映像データ復号化回路および、入力された音声データを階層合成して復号化する音声データ復号化回路であることを特徴とする［Ｈ］に記載のモジュールである。
【００４０】
（その他の変形例）
本発明は前述した各実施形態例の他にも、本発明の要旨を逸脱しない範囲で種々の変形実施が可能である。例えば、
本発明に係わる受信装置が採用する伝送方式は、「階層的( 直交) 周波数分割多重( ＯＦＤＭ) 」伝送方式に適用できる。
同様に、本発明に係わる受信装置が採用する変・復調方式は、「階層的( 直交) 変・復調( ＯＦＤＭ) 」方式に適用できる。
【００４１】
そのほかにも、「周波数分割多重( ＦＤＭ) 」通信方式、「時分割多重( ＴＤＭ) 」通信方式、「周波数分割多重( ＦＤＭ) 」方式、「時分割多重( ＴＤＭ) 」方式であっても、階層合成の基本的手法は適用可能である。
【００４２】
また、例示した受信装置に係わる各構成モジュールの仕様や、利用するレジスタ、メモリ等の個数、記憶容量ならびに実際のデバイス・チップ等は、必要に応じての増減や種々の変更が可能であると共に、他との適宜な組合せも可能である。
さらに、本発明の受信装置と既存の放送技術との組合せや、これに使用する機材等は、例示したものに限らず任意に設定して用いることもできる。
【００４３】
【発明の効果】
以上、複数の実施形態例および変形例に基づく説明の如く、本発明によれば、監視部内の待ち行列用のメモリから順々にフラグを読み出すことによって、先に蓄積されていた階層のＴＳＰから順々に読み出すことができ、また、どの階層にもＴＳＰが存在しない場合にはどの階層からもフラグが出力されておらず、監視部内の待ち行列用のメモリも空になるので、この場合はヌルパケットを生成しながら階層合成して一連のＴＳＰを出力する。このように、本発明の受信装置によれば次のような効果が得られる。
（１）  デジタル地上波放送システムの階層化伝送方式における所定の条件を満たす階層合成が可能なモジュールを有する受信装置が提供できる。
（２）  プログラム等による大げさな制御系を必要とせず待ち行列を設定・管理できるので、比較的簡単な構成でその制御機能が提供できる。
（３）  よって、階層合成を必要とするモジュールの小型化とその製造コストの軽減をもたらすと共に、このモジュールのチップ化により受信装置自体の構造的な簡素化と小型、軽量化等も容易に実現できる。
【００４４】
以上、本発明によれば、デジタル地上波放送システムの階層化伝送方式における受信側において、階層合成を正しく行え出力できる受信装置のモジュールを提供することができる。
【図面の簡単な説明】
【図１】  本発明に係わる実施形態例の受信装置（デジタルテレビ受像機）の基本構成を示す概要ブロック構成図。
【図２】  本発明の第１実施形態例としての階層合成を行う受信装置のモジュールの基本構成を示す概要ブロック構成図。
【図３】  本発明の第２実施形態例としての階層合成を行う受信装置のモジュールの構成を示すブロック構成図。
【図４】  同じく、このモジュールのＴＳＰ蓄積バッファの構造を示す説明図。
【図５】  同じく、このモジュールのＦＩＦＯの構造を示す説明図。
【図６】  関連する階層合成を行う受信装置のモジュールの構成を示すブロック構成図。
【符号の説明】
１…アンテナ、
２…チューナ回路、
３…デジタル復調回路、
４…映像データ復号化回路、
５…画面フォーマット変換回路、
６…音声データ復号化回路、
７…ディスプレイ、
１０…蓄積手段、
１１…ＴＳＰ蓄積バッファ（階層１専用）、
１２…ＴＳＰ蓄積バッファ（階層２専用）、
１３…ＴＳＰ蓄積バッファ（階層３専用）、
１４…ＴＳＰ蓄積バッファ（階層４専用）、
２０…出力制御手段（出力制御部）、
３０…監視手段（監視部）。
【図１】
0003842450.tif 000002
【図２】
0003842450.tif 000003
【図３】
0003842450.tif 000004
【図４】
0003842450.tif 000005
【図５】
0003842450.tif 000006
【図６】
0003842450.tif 000007